【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１１）と、
前記圧縮機（１１）から吐出された前記冷媒を放熱させる放熱器（１２、１６）と、
前記冷媒を蒸発させる第１蒸発器（１６、１８）と、
吸熱対象物（８１）との間を循環する熱媒体、または前記吸熱対象物（８１）から吸熱して前記冷媒を蒸発させる第２蒸発器（１９）と、
前記第１蒸発器（１６、１８）に流入する前記冷媒の流量を変更可能な第１絞り部（１４ａ、１４ｂ）と、
前記第２蒸発器（１９）に流入する前記冷媒の流量を変更可能な第２絞り部（１４ｃ）と、
前記第２蒸発器（１９）の温度に関連する温度（ＴＷＬ１）が目標温度（ＴＷＬＯ）に近づくように前記圧縮機（１１）および前記第２絞り部（１４ｃ）の作動を制御する制御部（６０）とを備え、
前記制御部（６０）は、
前記第１蒸発器（１６、１８）で前記冷媒が蒸発せず、前記第２蒸発器（１９）で前記冷媒が蒸発するように前記第１絞り部（１４ａ、１４ｂ）および前記第２絞り部（１４ｃ）を制御する第１モードと、
前記第１蒸発器（１６、１８）および前記第２蒸発器（１９）の両方で前記冷媒が蒸発するように前記第１絞り部（１４ａ、１４ｂ）および前記第２絞り部（１４ｃ）を制御する第２モードとを切り替えるようになっており、
前記制御部（６０）は、前記第１モードでは前記第２モードよりも前記目標温度（ＴＷＬＯ）を高く設定する冷凍サイクル装置。
【請求項２】
前記第１蒸発器（１６、１８）は、前記放熱器（１２）から流出した冷媒と外気とを熱交換させる室外熱交換器（１６）と、空調対象空間に送風される空気とを熱交換させて、前記室外熱交換器（１６）から流出した冷媒を蒸発させる室内蒸発器（１８）とを含み、
前記第１絞り部（１４ａ、１４ｂ）は、前記室外熱交換器（１６）に流入する前記冷媒の流量を変更可能な室外熱交換器用絞り部（１４ａ）と、前記室内蒸発器（１８）に流入する前記冷媒の流量を変更可能な室内蒸発器用絞り部（１４ｂ）とを含み、
前記吸熱対象物は電池（８１）であり、
さらに、前記室外熱交換器用絞り部（１４ａ）が配置され、前記放熱器（１２）から流出した冷媒を前記室外熱交換器（１６）の入口側へ導く第１冷媒通路（１６ａ）と、
前記室外熱交換器（１６）から流出した冷媒を前記圧縮機（１１）の吸入側へ導く第２冷媒通路（２２ｂ）と、
前記第２冷媒通路（２２ｂ）に配置され、前記第２冷媒通路（２２ｂ）を開閉する第２冷媒通路開閉部（１５ｂ）と、
前記室内蒸発器用絞り部（１４ｂ）が配置され、前記室外熱交換器（１６）から流出した冷媒を前記室内蒸発器（１８）を介して前記圧縮機（１１）の吸入側へ導く第３冷媒通路（１８ａ）と、
前記放熱器（１２）と前記室外熱交換器用絞り部（１４ａ）との間を流れる冷媒を前記第３冷媒通路（１８ａ）における前記室外熱交換器（１６）と前記第２絞り部（１４ｃ）との間へ導くバイパス通路（２２ａ）と、
前記バイパス通路（２２ａ）に配置され、前記バイパス通路（２２ａ）を開閉するバイパス開閉部（１５ａ）と、
前記第２絞り部（１４ｃ）が配置され、前記室外熱交換器（１６）と前記第１絞り部（１４ａ、１４ｂ）との間を流れる冷媒を前記第２蒸発器（１９）を介して前記第３冷媒通路（１８ａ）における前記室内蒸発器（１８）と前記圧縮機（１１）の吸入側との間へ導く電池冷却用通路（１９ａ）とを備え、
前記制御部（６０）は、
前記第１モードでは、前記放熱器（１２）および前記室外熱交換器（１６）のうち少なくとも一方で前記冷媒が放熱し、前記第２蒸発器（１９）で前記冷媒が蒸発し、前記室内蒸発器（１８）で前記冷媒が蒸発しないように前記室外熱交換器用絞り部（１４ａ）、前記室内蒸発器用絞り部（１４ｂ）、前記第２絞り部（１４ｃ）、前記第２冷媒通路開閉部（１５ｂ）および前記バイパス開閉部（１５ａ）を制御し、
前記第２モードでは、前記第２蒸発器（１９）で前記冷媒が蒸発し、前記室外熱交換器（１６）および前記室内蒸発器（１８）のうち少なくとも一方で前記冷媒が蒸発するように前記室外熱交換器用絞り部（１４ａ）、前記室内蒸発器用絞り部（１４ｂ）、前記第２絞り部（１４ｃ）、前記第２冷媒通路開閉部（１５ｂ）および前記バイパス開閉部（１５ａ）を制御する請求項１に記載の冷凍サイクル装置。
【請求項３】
前記第１モードは、
前記放熱器（１２）および前記室外熱交換器（１６）で前記冷媒が放熱し、前記第２蒸発器（１９）で前記冷媒が蒸発し、前記室内蒸発器（１８）に冷媒が流れない暖房冷却モードと、
前記放熱器（１２）で前記冷媒が放熱せず、前記室外熱交換器（１６）で前記冷媒が放熱し、前記第２蒸発器（１９）で前記冷媒が蒸発し、前記室内蒸発器（１８）に冷媒が流れない冷却モードとを含む請求項２に記載の冷凍サイクル装置。
【請求項４】
前記第２蒸発器（１９）は、前記熱媒体から吸熱して前記冷媒を蒸発させ、
さらに、前記第２蒸発器（１９）で吸熱された前記熱媒体によって吸熱対象物（８１）を冷却する冷却用熱交換部（５２）を備え、
前記第２蒸発器（１９）の温度に関連する温度（ＴＷＬ１）は、前記第２蒸発器（１９）で吸熱された前記熱媒体の温度である請求項１ないし３のいずれか１つに記載の冷凍サイクル装置。
【請求項５】
前記第１モードでは前記目標温度（ＴＷＬＯ）を外気温度よりも低い温度にする請求項１ないし４のいずれか１つに記載の冷凍サイクル装置。
【請求項６】
前記制御部（６０）は、
前記第１モードでは、前記目標温度（ＴＷＬＯ）と前記第２蒸発器（１９）の温度に関連する温度（ＴＷＬ１）との偏差に基づいて前記圧縮機（１１）を制御し、
前記第２モードでは、
前記第２蒸発器（１９）の温度に関連する温度（ＴＷＬ１）が前記目標温度（ＴＷＬＯ）よりも高い場合、前記第２絞り部（１４ｃ）を開け、
前記第２蒸発器（１９）の温度に関連する温度（ＴＷＬ１）が前記目標温度（ＴＷＬＯ）よりも低い場合、前記第２絞り部（１４ｃ）を閉じる、または前記目標温度（ＴＷＬＯ）と前記第２蒸発器（１９）の温度に関連する温度（ＴＷＬ１）との偏差に基づいて前記圧縮機（１１）を制御する請求項１ないし５のいずれか１つに記載の冷凍サイクル装置。
【手続補正２】
【補正対象書類名】明細書
【補正対象項目名】００５８
【補正方法】変更
【補正の内容】
【００５８】
電池冷却用通路１９ａは、室外熱交換器１６と冷房用膨張弁１４ｂとの間を流れる冷媒を、チラー１９を介して第３冷媒通路１８ａにおける室内蒸発器１８と圧縮機１１の吸入側との間へ導く冷媒通路である。
【手続補正３】
【補正対象書類名】明細書
【補正対象項目名】００７５
【補正方法】変更
【補正の内容】
【００７５】
低温側ラジエータ５４は、駆動装置室内の前方側に配置されている。このため、車両走行時には、低温側ラジエータ５４に走行風を当てることができる。従って、低温側ラジエータ５４は、室外熱交換器１６等と一体的に形成されていてもよい。低温側ラジエータ５４の熱媒体出口には、低温側熱媒体ポンプ５１の吸入口側が接続されている。
従って、低温側熱媒体回路５０では、低温側熱媒体ポンプ５１が、冷却用熱交換部５２へ流入する低温側熱媒体の流量を調整することによって、冷却用熱交換部５２における低温側熱媒体がバッテリ８０から奪う吸熱量を調整することができる。つまり、本実施形態では、チラー１９および低温側熱媒体回路５０の各構成機器によって、冷却用膨張弁１４ｃから流出した冷媒を蒸発させて、バッテリ８０を冷却する冷却部が構成されている。
【手続補正４】
【補正対象書類名】明細書
【補正対象項目名】０３０４
【補正方法】変更
【補正の内容】
【０３０４】
例えば、（５）冷房＋冷却モードでは、圧縮機１１の回転数の増減量ΔＩＶＯは、目標蒸発器温度ＴＥＯと蒸発器温度Ｔｅｆｉｎとの偏差に基づいて、フィードバック制御手法により、蒸発器温度Ｔｅｆｉｎが目標蒸発器温度ＴＥＯに近づくように決定される。
【手続補正５】
【補正対象書類名】明細書
【補正対象項目名】０３２２
【補正方法】変更
【補正の内容】
【０３２２】
また、本実施形態の制御装置６０の入力側には、冷却用熱交換部入口温度センサ６４ｇが接続されている。冷却用熱交換部入口温度センサ６４ｇは、冷却用熱交換部５２ａの冷媒通路へ流入する冷媒の温度を検出する冷却用熱交換部入口温度検出部である。
【手続補正６】
【補正対象書類名】明細書
【補正対象項目名】０３２３
【補正方法】変更
【補正の内容】
【０３２３】
さらに、本実施形態の第５冷媒温度センサ６４ｅは、冷却用熱交換部５２ａの冷媒通路から流出した冷媒の温度Ｔ５を検出する。本実施形態の第２冷媒圧力センサ６５ｂは、冷却用熱交換部５２ａの冷媒通路から流出した冷媒の圧力Ｐ２を検出する。